(57)【要約】【課題】  光源からの出射光を高効率で利用し、小型化が可能な投射表示装置を提供する。【解決手段】  光源１１と、光源１１の発する光を均一な光強度分布を有する略平行光に変換して出射するロッド型光インテグレータ１２と、ロッド型光インテグレータ１２より入射される光を一定の偏光方向を有する偏光光に変換して出射する偏光変換光学系３０と、偏光変換光学系３０より入射する光を映像信号に応じて変調して映像信号光として出射する液晶表示素子１６と、映像信号光をスクリーン１０に投射する投射光学系１８とを備えた投射表示装置において、光源１１をフォトニック結晶からなる光源素子２０から構成し、ロッド型光インテグレータ１２の光入射開口部は前記光源素子より大きく構成し、偏光変換光学系３０を反射光学系より構成した。【選択図】図１
2006267417.tif 000002
【特許請求の範囲】
【請求項１】
光源と、前記光源の発する光を均一な光強度分布を有する略平行光に変換して出射する照明光均一化光学系と、前記照明光均一化光学系より入射される光を一定の偏光方向を有する偏光光に変換して出射する偏光変換光学系と、前記偏光変換光学系より入射する光を映像信号に応じて変調して映像信号光として出射する空間光変調素子と、前記映像信号光をスクリーンに投射する投射光学系とを備えた投射表示装置において、
前記光源は、前記照明光均一化光学系の光入射開口部に平行に入射させる微細な孔を有するフォトニック結晶で、かつ光入射開口部よりも小さい形状であり、前記偏光変換光学系は、反射光学系であることを特徴とする投射表示装置。
【発明の詳細な説明】
【技術分野】
【０００１】
本発明は、小型化に好適な投射表示装置に関するものである。
【背景技術】
【０００２】
映像鑑賞や、プレゼンテーションに、空間光変調素子により表示される画像等をスクリーン等の大画面に、カラー画像として映し出す事を目的として投射表示装置が利用されている。
従来、投射表示装置には、光源として超高圧水銀ランプ、メタルハライドランプ又は、キセノンランプ等の白色光源が用いられているが、近年、小型化を目的として発光ダイオード（ＬＥＤ）を光源として使用する提案がされている。
【０００３】
ＬＥＤから出射された光は、赤外線及び紫外線を取り除く必要も無い為、ＩＲ−ＵＶカットフィルターの設置が不要であり、消費電力が大きくなく、光源を駆動する電源装置小型で、発熱量も少ない為、特別な冷却装置を必要としない場合もある。
ランプ光源を使用した従来からの光学系においては、照明均一化光学系として、一対のレンズアレイから構成されるレンズアレイ・インテグレータを使用している。
【０００４】
また、空間光変調素子として液晶表示素子を使用した投射表示装置では、一方向の直線偏光光のみが液晶表示素子を透過可能であるが、光源からの照明光は不定偏光であり、照明光の利用効率を高めるため一方向の直線偏光光に偏光方向を揃える必要がある。この偏光方向を揃える光学系として偏光変換光学系が用いられている。
【０００５】
偏光変換光学系としては、入射する不定偏光光を直交する２つの直線偏光に分離する偏光ビームスプリッター（ＰＢＳ）プリズムアレイと、一方の直線偏光を他方の直線偏光と同一方向に変換する為の、反射ミラープリズムと位相差フィルムとを配置して構成するＰＳコンバイナーがある。光源ＬＥＤからの光を、ＰＳコンバイナーにより、一方向の直線偏光に変換して、空間光変調素子を通過させ、カラー画像を投射レンズによってスクリーン等に拡大投射表示する投射表示装置が提案されている（例えば、特許文献１参照。）。
【特許文献１】特開２００１−２８１７６０号公報
【発明の開示】
【発明が解決しようとする課題】
【０００６】
ところで、ＬＥＤ光源からの照明光の利用効率を高くする為、直交する２つの直線偏光光の偏光方向を一方向に揃える偏光変換素子としてＰＢＳプリズムと位相差フィルムを配置したＰＳコンバイナーを使用した場合、直線偏光光の偏光方向を９０°回転させる位相差フィルムを使用するため、屈折率の波長分散により光利用効率が低下するという問題があった。
【０００７】
そこで、本発明は、上記問題を解決して、光源からの出射光を高効率で利用し、小型化が可能な投射表示装置を提供することを目的とするものである。
【課題を解決するための手段】
【０００８】
上記目的を達成するための手段として、本発明の投射表示装置は、光源と、前記光源の発する光を均一な光強度分布を有する略平行光に変換して出射する照明光均一化光学系と、前記照明光均一化光学系より入射される光を一定の偏光方向を有する偏光光に変換して出射する偏光変換光学系と、前記偏光変換光学系より入射する光を映像信号に応じて変調して映像信号光として出射する空間光変調素子と、前記映像信号光をスクリーンに投射する投射光学系とを備えた投射表示装置において、前記光源は、前記照明光均一化光学系の光入射開口部に平行に入射させる微細な孔を有するフォトニック結晶で、かつ光入射開口部よりも小さい形状であり、前記偏光変換光学系は、反射光学系であることを特徴とする投射表示装置を提供しようとするものである。
【発明の効果】
【０００９】
本発明の投射表示装置は、請求項１記載によれば、前記光源は、前記照明光均一化光学系の光入射開口部に平行に入射させる微細な孔を有するフォトニック結晶で、かつ光入射開口部よりも小さい形状であり、前記偏光変換光学系は、反射光学系であるので、光源からの出射光を高効率で利用し、小型化が可能な投射表示装置を提供できるという効果がある。
【発明を実施するための最良の形態】
【００１０】
以下、本発明の実施の形態につき、好ましい実施例により、図面を参照して説明する。
【実施例１】
【００１１】
図１は、本発明の投射表示装置の第１実施例を示す概略構成図である。
図２は、フォトニック結晶を用いた発光素子を示す構成図である。
図３は、本発明の投射表示装置における偏光変換光学系を示す構成図である。
図１に示すように、本第１実施例の投射表示装置１Ａは、光源素子１１と、ロッド型光インテグレータ１２と、コンデンサレンズ１３と、偏光変換光学系３０と、集光光学系１５と、液晶表示素子１６と投射レンズ１８とから構成される。
【００１２】
光源素子１１としては、高輝度ＬＥＤを用いるが、個々の出力で必要な輝度が得られない場合は、１つ以上の高輝度ＬＥＤをアレイ構成とした光源とする。あるいは、高輝度ＬＥＤの代わりとしてフォトニック結晶光源素子２０を発光素子とした光源を使用する。
【００１３】
図２に示すように、フォトニック結晶光源素子２０は、Ｎ型半導体２２上に順次形成された活性層半導体２３（発光層）及びＰ型半導体２１とから構成される。Ｐ型半導体２１の表面には、２次元的に周期的な屈折率の差ができるように、例えば微細な円孔配列２４を設ける事で、活性層半導体２３より発光する光を、乱反射等による損失無しに外部へ完全に放射させるライトコーンの条件を利用する事が可能となり、高い効率での発光を実現し、また光の放射方向を限定できる光源である。
【００１４】
上記の光源素子１１から出射された照明光に、その光軸に直交する平面内において輝度むらが生じる場合、照明光を均一化するために、光源素子１１は、４辺を平行なミラーで覆われたロッド型光インテグレータ１２の入射開口部近傍に配置される。ここで、ロッド型光インテグレータ１２の入射開口部の大きさは、光源素子１１から出射される光をすべて取り込めるように、光源素子１１より大きく設定されている。出射ロッド型光インテグレータ１２からの出射光は、均一化され、コンデンサレンズ１３を通過することにより、略平行光に整形される。
【００１５】
次に、コンデンサレンズ１３から出射される略平行光は不定偏光光であることから、光が進行する後段の所定位置に配置される液晶表示素子１６への照明光の光利用効率を高める為、偏光変換光学系３０で１方向の直線偏光に揃える必要がある。上記偏光変換光学系３０は、反射光学系である。
【００１６】
図３の（ａ）に示すように、一般的に簡単な構成で偏光変換効率の高い、反射光学系による偏光変換光学系３０を使用する。
偏光変換光学系３０に入射した照明光（不定偏光３７）は、不定偏光光であるため、最初に偏光ビームスプリッター（ＰＢＳ）３１の入射面３１ａを通過し、偏光分離面３１ｂで２つの互いに直交した直線偏光であるＰ偏光光とＳ偏光光に分離される。２つの偏光光のうち一方の偏光光は直進してＰＢＳ３１の出射面３１ｃから、他方の偏光光は９０°曲げられてＰＢＳ３１の出射面３１ｄから出射する。
【００１７】
ＰＢＳ３１の出射面３１ｃには、出射面３１ｃに対し、４５°を成す反射面３２ａを有する直角プリズム３２が配置されている。また、ＰＢＳ３１の出射面３１ｄには、出射面に３１ｄに対し、４５°を成す反射面３４ａを有する直角プリズム３４が配置されている。
直角プリズム３２に入射した一方の偏光光は、反射面３２ａで反射されて方向を９０°変えて、出射面３２ｂより出射する。一方、直角プリズム３４に入射した他方の偏光光は、反射面３４ａで反射されて出射面３４ｂより出射する。
【００１８】
直角プリズム３２の出射面３２ｂには、出射面３１ｃに対し、４５°を成す反射面３３ａを有する直角プリズム３３が配置されている。また、直角プリズム３４の出射面３４ｂには、出射面３４ｂに対し、４５°を成す反射面３５ａを有する直角プリズム３５が配置されている。
出射面３２ｂを通して直角プリズム３３に入射した一方の偏光光は反射面３３ａで反射されて、方向を９０°変えて、出射面３３ｂより直線偏光３８として出射する。このとき不定偏光３７の光軸と直線偏光３８の光軸は平行となる。また、出射面３４ｂを通して直角プリズム３５に入射した他方の偏光光は反射面３５ａで反射されて、方向を９０°変えて、出射面３５ｂより直線偏光３９として出射する。このとき不定偏光３７の光軸と直線偏光３９の光軸は平行となる。
【００１９】
ここで、反射面３２ａと反射面３３ａとは平行であるので、ＰＢＳ３１の偏光分離面３１ａを通過した一方の偏光光は、反射面３２ａ及び反射面３３ａで反射されても、その偏光方向を変えずに、直線偏光３８として、出射面３３ｂより、出射する。一方、反射面３４ａと反射面３５ａとは互いに４５°をなしているので、ＰＢＳ３１の偏光分離面３１ａで９０°反射した他方の偏光光は、反射面３４ａ及び反射面３５ａで反射されることにより、像が９０°回転するのと同様に、偏光方向が９０°回転されて、直線偏光３９として、出射面３５ｂより出射する。
【００２０】
直線偏光３８と直線偏光３９の偏光方向は一致している。
すなわち、偏光変換光学系３０に入射した不定偏光光は、同一進行方向の光軸を持ち、Ｐ偏光あるいはＳ偏光のどちらか一方に揃い出射される。
【００２１】
図３の（ｂ）には、反射光学系による偏光変換光学系４０の平板形状素子による構成を示す。偏光変換光学系４０は、偏光変換光学系３０において、ＰＢＳ３１に代えてダイクロイックミラー面４１ａを有するダイクロイックミラー４１を、直角プリズム３２に代えて反射面４２ａを有する平面ミラー４２を、直角プリズム３３に代えて反射面４３ａを有する平面ミラー４３を、直角プリズム３４に代えて反射面４４ａを有する平面ミラー４４を、直角プリズム３５に代えて反射面４５ａを有する平面ミラー４５を用いたものである。
偏光変換光学系４０に入射する不定偏光４７は、偏光方向の揃った直線偏光４８及び４９として出射する。
【００２２】
上記の反射光学系による偏光変換光学系３０では、ＰＢＳ３１の入射面３１ａに対して、Ｐ偏光光とＳ偏光光に分離した方向の辺が他辺の２倍の長さとなる長方形の出射面となり、出射光の光軸に直交する断面形状も同様の長方形となる。
ここで、液晶表示素子１６の表示部のアスペクト比に一致させる為、直交する方向で倍率の異なるレンズ１５ａ及びレンズ１５ｂを備える集光光学系１５を、偏光変換光学系３０の後段に配置し、それによって、照明光を液晶表示素子１６の表示部と同形状に集光し、表示部への照明効率を高めることができる。
【００２３】
液晶表示素子１６に照明された一方向に揃えられた直線偏光光は、ここでカラー画像に光変調され、投射レンズ１８を通過してスクリーン１０に拡大投射表示される。
本発明の投射表示装置によれば、フォトニック結晶あるいは高輝度発光ダイオードを、発光素子として構成する光源と、照明光均一化光学系としてロッド型光インテグレータと、不定偏光を偏光方向の揃った偏光に変換する、反射光学系による偏光変換光学系を備える事で、高輝度な照明光を効率よく液晶表示素子に照明可能となり、高輝度の映像をスクリーンに投射することができる。また、均一な分布を持つ平行光を出射するフォトニック結晶を光源とする事で、照明光学系の構成を単純にすることができるので、投射表示装置の小型化を容易にすることができる。
【実施例２】
【００２４】
図４は、本発明の投射表示装置の第２実施例を示す概略構成図である。
第２実施例の投射表示装置１Ｂは、第１実施例の投射表示装置１Ａにおいて、光源素子１１を白色光源素子１１ａとし、透過型液晶表示素子１６ａの後段にＲＧＢ色フィルター１７を配置した以外は、第１実施例の投射表示装置１Ａと同様に構成したものである。
白色光源素子１１ａから出射される不定偏光の白色光は、偏光変換光学系３０により、一定方向の直線偏光に変換されるので、高輝度な照明光を効率よく液晶表示素子に照明可能となり、高輝度の映像をスクリーン１０に投射することができる。
【実施例３】
【００２５】
図５は、本発明の投射表示装置の第３実施例を示す概略構成図である。
第３実施例の投射表示装置１Ｃは、第２実施例の投射表示装置１Ｂにおいて、光源素子１１をＲＧＢ色光源素子１１ｂとした以外は、第２実施例の投射表示装置１Ｂと同様に構成したものである。
Ｒ、Ｇ、Ｂの３色からなるＲＧＢ色光源素子１１ｂから出射された光が、ロッド型光インテグレータ１２で色合成され白色均一照明光となり、反射式の偏光変換光学系３０を通過し、Ｒ、Ｇ、Ｂ色フィルターを有する透過型液晶表示素子１６ａに照明されることでカラー画像に光変調される。ここでＲ、Ｇ、Ｂの３色からなる光源を用いる事で、複雑な画像の色制御が容易に可能となる。
【実施例４】
【００２６】
図６は、本発明の投射表示装置の第４実施例を示す概略構成図である。
第４実施例の投射表示装置１Ｄは、第３実施例の投射表示装置１Ｃにおいて、透過型液晶表示素子１６ａに代えて透過型液晶表示素子１６ｂとし、ＲＧＢ色フィルター１７を取り除いた以外は、第３実施例の投射表示装置１Ｃと同様に構成したものである。
Ｒ、Ｇ、Ｂの３色からなるＲＧＢ色光源素子１１ｂから出射されたＲ、Ｇ、Ｂの各光が、ロッド型光インテグレータ１２で均一化され、反射式の偏光変換光学系３０を通過し、透過型液晶表示素子１６ｂに照明される。ここで、透過型液晶表示素子１６ｂはＲ、Ｇ、Ｂに分割された画像信号を、時系列に表示可能であり、Ｒ、Ｇ、Ｂに分割された信号で制御されたＲ、Ｇ、Ｂ各色の光源がそれぞれ同期を取って光信号として出射される。上記の透過型液晶表示素子１１ｂから投射された画像は、スクリーン１０上にＲ、Ｇ、Ｂ色が順番に照射され、人間の視覚においては時間積分されカラー画像として認識される。
【実施例５】
【００２７】
図７は、本発明の投射表示装置の第５実施例を示す概略構成図である。
第５実施例の投射表示装置１Ｅは、第４実施例の投射表示装置１Ｄにおいて、透過型液晶表示素子１６ｂに代えて、所定配置関係の偏光ビームスプリッタ１９と反射型液晶表示素子１６ｃとし、投射レンズ１８を所定の配置に変更した以外は、第４実施例の投射表示装置１Ｄと同様に構成したものである。
液晶表示素子として反射型液晶表示素子１６ｃを用いる。反射式液晶表示素子１６ｃの場合、表示部へは偏光ビームスプリッター１９で光軸を９０°変更して反射型液晶表示素子１６ｃに照明するように構成されている。反射型液晶表示素子１６ｃで変調され反射された光は、偏光方向を９０°回転されているため、前記偏光ビームスプリッター１９を透過して、投射レンズ１８を介してスクリーン１０に拡大投射表示される。
【実施例６】
【００２８】
図８は、本発明の投射表示装置の第６実施例を示す概略構成図である。
第６実施例の投射表示装置１Ｆは、第１実施例の投射表示装置１Ａにおいて、ロッド型インテグレータ１２及びコンデンサレンズ１３を削除した以外は、第１実施例の投射表示装置１Ａと同様に構成したものである。
高出力で放射される光束が均一かつ平行光であるフォトニック結晶を光源素子として構成した場合、照明光を略平行にする整形光学系と、均一分布にする照明均一化光学系とを省略可能となり、光源素子１１と反射光学系による偏光変換光学系３０と液晶表示素子１６へ照明する為の集光光学系１５のみで照明装置が構成され、液晶表示素子１６で変調された光は投射レンズ１８を介してスクリーン１０に拡大投射表示される。
高輝度な照明光を効率よく液晶表示素子に照明可能となり、高輝度の映像をスクリーンに投射することができる。また、均一な分布を持つ平行光を出射するフォトニック結晶を光源とする事で、照明光学系の構成を単純にすることができるので、投射表示装置の小型化を容易にすることができる。
【実施例７】
【００２９】
図９は、本発明の投射表示装置の第７実施例を示す概略構成図である。
上述の第６実施例の投射表示装置１Ｆにおいて、反射光学系による偏光変換光学系３０から出射される照明光の、光軸に直交する断面形状が液晶表示素子１６の表示部と同形状とした場合は、集光光学系１５も省略可能となる。
第７実施例の投射表示装置１Ｇは、光源素子１１と反射光学系による偏光変換光学系３０のみで照明装置が構成される。液晶表示素子１６の入射面側と偏光変換光学系の出射面側は密接配置が可能となり、液晶表示素子１６で変調された光は投射レンズ１８を介してスクリーン１０に拡大投射表示される。
高輝度な照明光を効率よく液晶表示素子に照明可能となり、高輝度の映像をスクリーンに投射することができる。また、均一な分布を持つ平行光を出射するフォトニック結晶を光源とする事で、照明光学系の構成を単純にすることができるので、投射表示装置の小型化を容易にすることができる。
【００３０】
投射表示装置において、第１の発明は、光源と、前記光源の発する光を均一な光強度分布を有する略平行光に変換して出射する照明光均一化光学系と、前記照明光均一化光学系より入射される光を一定の偏光方向を有する偏光光に変換して出射する偏光変換光学系と、前記偏光変換光学系より入射する光を映像信号に応じて変調して映像信号光として出射する空間光変調素子と、前記映像信号光をスクリーンに投射する投射光学系とを備えた投射表示装置において、前記光源をフォトニック結晶からなる光源素子から構成し、前記偏光変換光学系を反射光学系より構成した事を特徴とする投射表示装置である。
【００３１】
また、第２の発明は、第１の発明において、前記照明光均一化光学系は、４面をミラーで覆われた導光路内で多重反射を繰り返すロッド型光インテグレータとから構成し、ロッド型光インテグレータの光出射端面には出射光を平行光にする整形光学系が接合配置されていることを特徴とする投射表示装置である。
【００３２】
また、第３の発明は、第１の発明において、反射光学系による偏光変換光学系は、入射する入射光である不定偏光をその偏光分離面により２つの互いに直交する偏光光に分離し、一方の偏光光を入射光と同一方向に第１の出射面より出射し、他方の偏光光を入射光と直交する方向に第２の出射面より出射するＰＢＳと、前記ＰＢＳの第１の出射面に配置された、入射する光をその反射面で直角に曲げて出射面より出射する第１の直角プリズムと、前記第１の直角プリズムの出射面に配置された、入射する光をその反射面で直角に曲げて出射面より出射する第２の直角プリズムと、前記ＰＢＳの第２の出射面に配置された、入射する光をその反射面で直角に曲げて出射面より出射する第３の直角プリズムと、前記第３の直角プリズムの出射面に配置された、入射する光をその反射面で直角に曲げて出射面より出射する第４の直角プリズムとを備えており、前記第１の直角プリズムの反射面と前記第２の直角プリズムの反射面とは互いに平行に配置されており、また、前記第３の直角プリズムの反射面と前記第４の直角プリズムの反射面とは互いに直交するように配置されており、前記入射光のうち前記偏光分離膜で分離された前記一方の偏光は、第１及び第２の直角プリズムの反射面により反射されて前記入射光の光軸と同一の光軸を有する直線偏光として第２の直角プリズムの出射面より出射し、前記他方の偏光は、第３及び第４の直角プリズムの反射面で反射されて、前記直線偏光と同一の偏光方向及び光軸を有する直線偏光として前記第４の直角プリズムの出射面より出射するように構成したことを特徴とする投射表示装置である。
【００３３】
また、第４の発明は、第３の発明において、前記第２及び第４直角プリズムの前記各出射面は、前記ＰＢＳの入射面に対し第１の辺が等しい大きさで第２の辺が２倍の大きさの長方形となる面とし、且つ前記空間光変調素子の表示部のアスペクト比に一致するように、直交する方向で倍率の異なる集光光学系を、前記各出射面と前記空間光変調素子との中間い配置したことを特徴とする投射表示装置である。
【００３４】
また、第５の発明は、第１の発明において、前記光源を、白色光を出射する少なくとも一つの半導体発光素子光源から構成し、赤色、緑色、青色それぞれの光の波長のみを透過するカラーフィルターを、前記空間光変調素子と前記投射光学系の中間に配置したことを特徴とする投射表示装置である。
【００３５】
また、第６の発明は、第１の発明において、前記光源を、赤色光、緑色光、青色光を出射する少なくとも一組の半導体発光素子から構成し、前記空間光変調素子を、赤色、緑色、青色に分割された画像信号を赤色、緑色、青色と時系列に表示可能な液晶表示素子から構成したことを特徴とする投射表示装置である。
【００３６】
また、第７の発明は、光源からの光を空間光変調素子によって画像信号光に変換し、前記画像信号光を投射光学系によって、スクリーンに投射する投射表示装置において、
前記光源をフォトニック結晶の発光素子より構成し、前記光源よりの発光光を反射光学系による偏光変換光学系により、一定の直線偏光に変換して、前記空間光変調素子に入射する構成としたことを特徴とする投射表示装置である。
【図面の簡単な説明】
【００３７】
【図１】本発明の投射表示装置の第１実施例を示す概略構成図である。
【図２】フォトニック結晶を用いた発光素子を示す構成図である。
【図３】本発明の投射表示装置における偏光変換光学系を示す構成図である。
【図４】本発明の投射表示装置の第２実施例を示す概略構成図である。
【図５】本発明の投射表示装置の第３実施例を示す概略構成図である。
【図６】本発明の投射表示装置の第４実施例を示す概略構成図である。
【図７】本発明の投射表示装置の第５実施例を示す概略構成図である。
【図８】本発明の投射表示装置の第６実施例を示す概略構成図である。
【図９】本発明の投射表示装置の第７実施例を示す概略構成図である。
【符号の説明】
【００３８】
１Ａ、１Ｂ、１Ｃ、１Ｄ、１Ｅ、１Ｆ、１Ｇ…投射表示装置、１０…スクリーン、１１…光源素子、１１ａ…白色光源素子、１１ｂ…ＲＧＢ色光源素子、１２…ロッド型光インテグレータ、１３…コンデンサレンズ、１５…集光光学系、１５ａ、１５ｂ…レンズ、１６…液晶表示素子、１６ａ…透過型液晶表示素子、１６ｂ…透過型液晶表示素子、１６ｃ…反射型表示素子、１７…ＲＧＢ色フィルター、１８：投射レンズ、１９：偏光ビームスプリッター、２０…フォトニック結晶光源素子、２１…Ｐ型半導体、２２…Ｎ型半導体、２３…活性層半導体、２４…円孔配列、３０…偏光変換光学系、３１…偏光ビームスプリッター（ＰＢＳ）、３１ａ…入射面、３１ｂ…偏光分離面、３１ｃ…出射面、３１ｄ…出射面、３２…直角プリズム、３２ａ…反射面、３２ｂ…出射面、３３…直角プリズム、３３ａ…反射面、３３ｂ…出射面、３４…直角プリズム、３４ａ…反射面、３４ｂ…出射面、３５…直角プリズム、３５ａ…反射面、３５ｂ…出射面、３７…不定偏光（照明光）、３８、３９…直線偏光、４０…偏光変換光学系、４１…ダイクロイックミラー、４１ａ…ダイクロイックミラー面、４２…平面ミラー、４２ａ…反射面、４３…平面ミラー、４３ａ…反射面、４４…平面ミラー、４４ａ…反射面、４５…平面ミラー、４５ａ…反射面、４７…不定偏光、４８、４９…直線偏光。
【図１】
2006267417.tif 000003
【図２】
2006267417.tif 000004
【図３】
2006267417.tif 000005
【図４】
2006267417.tif 000006
【図５】
2006267417.tif 000007
【図６】
2006267417.tif 000008
【図７】
2006267417.tif 000009
【図８】
2006267417.tif 000010
【図９】
2006267417.tif 000011